(57)【要約】【課題】接地レールへの固定に要する手間と作業工数を削減して、接地レールの鍔部分の変形を抑えつつ接地不良を防止する。【解決手段】  導電端子１の下方位置で導電端子１の長手方向に互いにスライド自在に設置され、長穴１１に対向してねじ穴２１が設けられ、接地レール５の両側鍔部分５ａに係合可能とする二つの接地金具２と、二つの接地金具２に対して互いに内側に付勢力を付与するばね３とを有し、絶縁ユニット４には、二つの接地金具２およびばね３が収容保持され、ばね３の付勢力により導電端子１が二つの接地金具２を介して接地レール５に接地可能とされている。【選択図】  図１
2007035590.tif 000002
【特許請求の範囲】
【請求項１】
両側に貫通穴が設けられた短冊状の導電端子と、該導電端子を保持する絶縁ユニットとを有する接地端子台において、
該導電端子の下方位置で該導電端子の長手方向に互いにスライド自在に設置され、該貫通穴に対向してねじ穴が設けられ、接地レールの両側の鍔部分に係合可能とする係合部が設けられた二つの接地金具と、該二つの接地金具の各係合部に対して互いに内側に付勢するばねとを有し、該絶縁ユニットには、該二つの接地金具および該ばねが収容保持され、該ばねの付勢力により該各係合部が該接地レールに押圧可能とされている接地端子台。
【請求項２】
前記導電端子は、配線時に、前記貫通穴を通して前記ねじ穴にねじが締結されて前記二つの接地金具と一体的に固定されている請求項１に記載の接地端子台。
【請求項３】
前記二つの接地金具はそれぞれ、前後に直角に断面コ字状に折れ曲り、その折れ曲がった両先端板部分が該二つの接地金具に、前記接地レールの両側の鍔部分にそれぞれ係合可能とする前記各係合部がそれぞれ設けられ、前記ねじ穴が該断面コ字状の中央平面部分に設けられ、該平面部分からその半分の幅で延設された延設部が設けられ、該平面部分の幅部分の先端板部分が該延設部から断面Ｌ字状に、該断面コ字状部分の折れ曲り方向とは直交する方向に折れ曲がっており、該二つの接地金具を組合せて、該延設部から折れ曲がった先端板部分がそれぞれ対向配置され、該各先端板部分間に前記ばねが配置されている請求項１に記載の接地端子台。
【請求項４】
前記各係合部は、切り欠き部または段差部で構成されている請求項３に記載の接地端子台。
【請求項５】
前記二つの接地金具の各延設部にはそれぞれ、マイナス形状の先端部が挿入可能な長方形状の切り欠き部がその長手方向に直角な方向に互いに対向してそれぞれ設けられている請求項３に記載の接地端子台。
【請求項６】
前記段差部には、前記接地レールの両側の鍔部分に下方から当接可能に折り曲げられた折り曲げ部を有している請求項４に記載の接地端子台。
【請求項７】
前記絶縁ユニットは、複数個その厚み方向に連結可能とされているかまたは、該厚み方向に互いに抱き合わせになった状態で、複数個その厚み方向に連結可能とされている請求項１に記載の接地端子台。
【請求項８】
前記導電端子と前記二つの接地金具との間には所定の隙間が設けられており、ねじ締結時に、該二つの接地金具の係合部が前記接地レールの両側の鍔部分とその下方から係合するように移動して、該接地レールの両側の鍔部分を、前記絶縁ユニットの底面部分と該係合部とで挟み込んで固定する構成とした請求項１に記載の接地端子台。
【請求項９】
ねじアップ用の座金付ねじと、該座金付ねじの下端部が前記ねじ穴から離間する方向に、該座金付ねじに付勢力を付与するばねとを更に有し、前記絶縁ユニットは、これらを収容して保持すると共に、前記導電端子に対して垂直方向に該ねじアップ用の座金付ねじを上下移動自在にガイドする絶縁部材を有している請求項１に記載の接地端子台。
【発明の詳細な説明】
【技術分野】
【０００１】
本発明は、例えば原子力発電所、火力発電所および変電所などの配電盤、制御盤および監視盤などに用いられ、例えば総合接地配線と各機器からの接地配線との配線中継および配線分岐するための接地端子台に関する。
【背景技術】
【０００２】
従来、図５に示すように、この種の接地端子台１００としては、導体端子１０１の両端縁部分の両ねじ穴１０２間の中央部分に、接地レール１０３に差し込んで上下に金具にて挟み込むためのレール固定用のねじ穴１０４が設けられている。この導体端子１０１は前後に直角に断面コ字状に折り曲げられて逆Ｔ字状に形成されている。このレール固定用のねじ穴にねじ１０５を螺合させて、接地レール１０３の両側から突き出た鍔部分１０３ａを下方から係合するように、導体端子１０１の逆Ｔ字状の折り曲げ部先端面部分１０１ａとの間で上下に挟み込むための固定金具１０６が設けられている。この固定金具１０６は接地レール１０３の鍔部分１０３ａを下方から受けられるようにレール両側から内側に屈曲した形状をしている。この接地端子台１００は、ねじを締結して導体端子１０１を介して配線を連結する配線中継および分岐装置としてのねじアップ式の端子台に適用している。
【０００３】
樹脂製のユニット１０７には、導体端子１０１および固定金具１０６が所定位置に収められてユニット部が構成され、その厚み方向に複数のユニット部が連結されている。この樹脂製のユニット１０７は、緑色と黄色が交互に用いられて、接地端子台１００として、電圧が印加される端子を接続するとショートするので、他の通常の端子台と色で区別されている。
【０００４】
なお、従来の接地端子台の特許文献としては、特許文献１および特許文献２があるが、いずれも接地用の端子そのものが示されているだけで、上記図５のようなユニット式で複数配線が可能な端子台で接地レールを通して接地するものではない。このような従来のユニット式で複数配線が可能な端子台としては、接地端子台ではないが、特許文献３にねじアップ式端子台が開示されている。
【特許文献１】特開２０００−３２４６０１号公報
【特許文献２】特開２００２−１８０２５８号公報
【特許文献３】特開２００１−５２７７６号公報
【発明の開示】
【発明が解決しようとする課題】
【０００５】
上記従来の接地端子台１００を接地レール１０３に固定するためには、折り曲げ部先端面部分１０１ａと固定金具１０６間に接地レール１０３の鍔部分１０３ａを挟み込んで中央部のねじ１０５を締め付けることにより、接地レール１０３の鍔部分１０３ａを、導体端子１０１の逆Ｔ字状の折り曲げ部先端面部分１０１ａと固定金具１０６とで上下から固定しなければならない。よって、この接地用の中央部のねじ１０５の締め付けを忘れた場合には、接地端子台１００の導電端子１０１が接地レール１０３に電気的に接続されず、接地不良が発生して、各機器の動作が不安定になるという問題が発生する。
【０００６】
しかも、この接地端子台１００の輸送時には、導電端子１０１と固定金具１０６とを動かないようにかつ音が出ないように固定するために接地用の中央部のねじ１０５を予め締め付けた状態としている。このため、この接地端子台１００の取り付け時には、接地用の中央部のねじ１０５を一旦戻して（緩めて）から、接地レール１０３を挟んで締め付けなければならず、手間と作業工数がかかる。
【０００７】
さらに、折り曲げ部先端面部分１０１ａと固定金具１０６間に接地レール１０３の鍔部分１０３ａを通して中央部のねじ１０５を締め付けて、接地端子台１００を接地レール１０３に固定する構造であるため、中央部のねじ１０５の締め付けトルクが大きい場合はもちろんのこと、締め付けトルクが通常の場合であってもねじ１０５を締めすぎると接地レール１０３の鍔部分１０３ａが変形して、接地端子台１００の接地レール１０３への再取り付けが困難となる場合も発生する。また、ねじ１０５の締め付けトルクが小さ過ぎる場合には、接地端子台１００の接地レール１０３への固定が不完全であったり、経時的に電気的に不接触状態となることもあり得る。このように、接地レール１０３の鍔部分１０３ａの変形を抑えようとすると接地不良が経時的に発生する虞がある。
【０００８】
本発明は、上記従来の問題を解決するもので、接地レールへの固定に要する手間と作業工数を削減して、接地レールの鍔部分の変形を抑えつつ接地不良を防止できる接地端子台を提供することを目的とする。
【課題を解決するための手段】
【０００９】
本発明の接地端子台は、両側に貫通穴が設けられた短冊状の導電端子と、該導電端子を保持する絶縁ユニットとを有する接地端子台において、該導電端子の下方位置で該導電端子の長手方向に互いにスライド自在に設置され、該貫通穴に対向してねじ穴が設けられ、接地レールの両側の鍔部分に係合可能とする係合部が設けられた二つの接地金具と、該二つの接地金具の各係合部に対して互いに内側に付勢するばねとを有し、該絶縁ユニットには、該二つの接地金具および該ばねが収容保持され、該ばねの付勢力により該各係合部が該接地レールに押圧可能とされており、そのことにより上記目的が達成される。
【００１０】
また、好ましくは、本発明の接地端子台における導電端子は、配線時に、前記貫通穴を通して前記ねじ穴にねじが締結されて該二つの接地金具と一体的に固定されている。
【００１１】
さらに、好ましくは、本発明の接地端子台において、前記二つの接地金具はそれぞれ、前後に直角に断面コ字状に折れ曲り、その折れ曲がった両先端板部分が該二つの接地金具に、前記接地レールの両側の鍔部分にそれぞれ係合可能とする前記各係合部がそれぞれ設けられ、前記ねじ穴が該断面コ字状の中央平面部分に設けられ、該平面部分からその半分の幅で延設された延設部が設けられ、該平面部分の幅部分の先端板部分が該延設部から断面Ｌ字状に、該断面コ字状部分の折れ曲り方向とは直交する方向に折れ曲がっており、該二つの接地金具を組合せて、該延設部から折れ曲がった先端板部分がそれぞれ対向配置され、該各先端板部分間に前記ばねが配置されている。
【００１２】
さらに、好ましくは、本発明の接地端子台における係合部は、切り欠き部または段差部で構成されている。
【００１３】
さらに、好ましくは、本発明の接地端子台において、前記二つの接地金具の各延設部にはそれぞれ、マイナス形状の先端部が挿入可能な長方形状の切り欠き部がその長手方向に直角な方向に互いに対向してそれぞれ設けられている。マイナス形状の先端部は、マイナスドライバの先端部の他に、マイナスドライバの先端部と同等な工具の先端部などがある。
【００１４】
さらに、好ましくは、本発明の接地端子台における段差部には、前記接地レールの鍔部分に下方から当接可能に折り曲げられた折り曲げ部を有している。
【００１５】
さらに、好ましくは、本発明の接地端子台における絶縁ユニットは、複数個その厚み方向に連結可能とされているかまたは、該厚み方向に互いに抱き合わせになった状態で、複数個その厚み方向に連結可能とされている。
【００１６】
さらに、好ましくは、本発明の接地端子台において、前記導電端子と前記二つの接地金具との間には所定の隙間が設けられており、ねじ締結時に、該二つの接地金具の係合部が前記接地レールの鍔部分とその下方から係合するように移動して、該接地レールの鍔部分を、前記ユニットの底面部分と該係合部とで挟み込んで固定する構成としている。
【００１７】
さらに、好ましくは、本発明の接地端子台において、ねじアップ用の座金付ねじと、該座金付ねじの下端部が前記ねじ穴から離間する方向に、該座金付ねじに付勢力を付与するばねとを更に有し、該絶縁ユニットは、これらを収容して保持すると共に、前記導電端子に対して垂直方向に該ねじアップ用の座金付ねじを上下移動自在にガイドする絶縁部材を有している。
【００１８】
上記構成により、以下、本発明の作用を説明する。
【００１９】
本発明においては、二つの接地金具の各係合部に対して互いに内側にばねで付勢することにより各係合部が接地レールに押圧可能とされている。
【００２０】
これによって、ワンタッチで各係合部の接地レールへの着脱が可能で、接地レールへの固定に要する手間と作業工数が削減されて、接地レールの鍔部分の変形を抑えつつ接地不良が防止される。
【発明の効果】
【００２１】
以上により、本発明によれば、二つの接地金具の各係合部に対して互いに内側にばねで付勢して各係合部を接地レールに押圧可能としているため、ワンタッチで各係合部の接地レールへの着脱が可能で、接地レールへの固定に要する手間と作業工数を削減して、接地レールの鍔部分の変形を抑えつつ接地不良を防止することができる。
【発明を実施するための最良の形態】
【００２２】
以下に、本発明の接地端子台の実施形態１、２について、図面を参照しながら詳細に説明する。
（実施形態１）
図１（ａ）は、本発明の実施形態１に係る接地端子台の要部構成例を示す上面図、図１（ｂ）は、図１（ａ）の正面図、図１（ｃ）は、図１（ｂ）の側面図である。図２（ａ）は、図１の接地端子台から金具部分を取り出した場合の正面図、図２（ｂ）は、図２（ａ）の側面図である。
【００２３】
図１（ａ）〜図１（ｃ）、図２（ａ）および図２（ｂ）において、本実施形態１の接地端子台１０は、両端縁部分にねじ締結用の長円状の穴１１（貫通孔）を持つ短冊状の導電端子１と、この導電端子１の下方位置で導電端子１の長手方向に互いにスライド自在に設置され、穴１１に対向する位置にねじ穴２１がそれぞれ設けられた二つの接地金具２と、二つの接地金具２に対して互いに内側にレール固定用の付勢力を付与する圧縮ばね３と、これらを収容する樹脂製の絶縁ユニット４とを有している。
【００２４】
導電端子１は、例えば短冊状の銅板または真鍮板にニッケルめっきや錫めっきが施されており、配線時に、その両端縁部分にそれぞれ設けられた両長円状の穴１１にねじ１２をそれぞれ通してその下の接地金具２のねじ穴２１にねじ１２を螺合させて締結するようになっている。導電端子１の両長円状の穴１１（貫通穴）からねじ１２を締結することにより、後述するように二つの接地金具２の位置が固定される。この固定により、配線などで引っ張られても、接地金具２が互いにスライドして開いて接地レール５から外れることはない。
【００２５】
二つの接地金具２はそれぞれ同じ形状をしており、前後に直角に断面コ字状に折れ曲り、その折れ曲がった両先端板部分２４に、接地レール５の鍔部分５ａが収容可能なように係合部（切り欠き部または段差部、ここでは切り欠き部）２２が形成されている。また、接地金具２は、断面コ字状の中央の平面部分２３にねじ穴２１がバーリング加工されており、平面部分２３からその半分の幅で延設された延設部２５が設けられ、平面部分２３の幅と同じ幅部分の先端板部分２６が延設部２５から断面Ｌ字状に、上記断面コ字状部分の折れ曲り方向とは直交する方向に折れ曲がっている。二つの接地金具２の各延設部２５にはそれぞれその長手方向に直交する方向に長方形状の切り欠き部２５ａが互いに対向する位置に設けられている。二つの接地金具２の各切り欠き部２５ａの上方の導電端子１には丸穴（または角穴などの貫通穴）が設けられており、上方から導電端子１側の丸穴を通して各切り欠き部２５ａ（長方形の穴になっている）内にマイナスドライバの先端部分を挿入してマイナスドライバを回転させることにより、容易に、二つの接地金具２を接地レール５から開いて外す方向にスライドさせることができる。図１（ａ）では二つの切り欠き部２５ａが互いにスライドした状態を示している。
【００２６】
これらの二つの接地金具２を組合せて、各先端板部分２６を対向配置させると共に、接地レール用の係合部２２を対向配置させて、各先端板部分２４間に圧縮ばね３を収容することにより、各先端板部分２６を外側に広げる方向に付勢力を付与する。これによって、対向した接地レール用の係合部２２も連動して、互いに接近する方向に付勢力が働く。二つの接地金具２は、導電端子１の下方位置で、導電端子１の長手方向に、各係合部２２が接近または離間方向に移動自在に配置される。
【００２７】
ユニット４は、複数個その厚み方向に連結可能とされ、ユニット４のそれぞれに、ねじ１２が取り付けられた導電端子１、二つの接地金具２および圧縮ばね３をそれぞれ収容して保持している。なお、ユニット４は、互いに抱き合わせになって収容物を内部に収容するように縦方向に二つに分割されていてもよい。
【００２８】
上記構成により、まず、接地端子台１０の対向した各係合部２２の一方を接地レール５の鍔部分５ａの一方に嵌め込んだ状態で、圧縮ばね３の付勢力に抗して、対向した各係合部２２間の距離を広げてワンタッチで他方の係合部２２を鍔部分５ａの他方に嵌め込む。二つの接地金具２の各係合部２２は、圧縮ばね３の付勢力により、接地レール５の鍔部分５ａに両側から内側に押圧して電気的に接触している。
【００２９】
次に、導電端子１の一方の長円状の穴１１（貫通孔）にねじ１２を通して、接地金具２の平面部分２３のねじ穴２１にねじ１２を締結することにより配線を行う。また、導電端子１の他方の長円状の穴１１（貫通孔）にねじ１２を通して、別の接地金具２の平面部分２３のねじ穴２１にねじ１２を締結することにより配線を行う。別途、接地レール５への接地用にねじ締めすることなく、配線作業のねじ締めだけで、導電端子１から接地金具２を介して接地レール５に安定した接圧で電気的に接続して接地することができる。
【００３０】
この場合に、導電端子１は二つの接地金具２とねじ締結によって一体的に固定されており、配線を引っ張っても二つの接地金具２がスライドして接地レール５から外れたり外に出てくることはない。
【００３１】
定期的なメンテナンス時などに、まず、接地端子台１０を接地レール５から外す場合、導電端子１上の配線をねじを緩めて外して二つの接地金具２がスライド可能状態にし、圧縮ばね３の付勢力に抗して、対向した各係合部２２間の距離を広げてワンタッチで取り外すことができる。また、前述したように、マイナスドライバを用いて、対向した各係合部２２間の距離を広げて取り外すこともできる。
【００３２】
次に、接地端子台１０に新たなユニット部を加えるなどして、対向した各係合部２２の一方を接地レール５の鍔部分５ａの一方に嵌め込んだ状態で、圧縮ばね３の付勢力に抗して、対向した各係合部２２間の距離を広げてワンタッチで他方の係合部２２を鍔部分５ａの他方に嵌め込む。二つの接地金具２の各係合部２２は、圧縮ばね３の付勢力により、接地レール５の鍔部分５ａに両側から内側に押圧して電気的に安定して接触する。
【００３３】
同様に、導電端子１の長円状の穴１１（貫通孔）にねじ１２を通して、接地金具２の平面部分２３のねじ穴２１にねじ１２を締結する。これによって、従来のように、別途、接地レール５への接地用にねじ締めすることなく、配線作業のねじ締めだけで、圧縮ばね３の付勢力により、導電端子１から接地金具２を介して接地レール５に安定して接地することができる。
（実施形態２）
上記実施形態１では本発明を通常の端子台に適用した場合について説明したが、本実施形態２では本発明をねじアップ式の端子台に適用した場合について説明する。
【００３４】
図３（ａ）は、本発明の実施形態２に係る接地端子台の要部構成例を示す上面図、図３（ｂ）は、図３（ａ）の正面図、図３（ｃ）は、図３（ｂ）の側面図である。図４は、図３の接地端子台から金具部分を取り出した場合の正面図である。なお、図３（ａ）〜図３（ｃ）および図４では、上記図１（ａ）〜図１（ｃ）、図２（ａ）および図２（ｂ）で説明した各部材と同様の作用効果を奏する部材には同一の符号を付してその説明を省略する。
【００３５】
図３（ａ）〜図３（ｃ）および図４において、本実施形態２の接地端子台２０は、両端縁部分に締結用の長円状の穴１１（貫通孔）を持つ短冊状の導電端子１と、導電端子１の下方位置で導電端子１の長手方向に互いにスライド自在に設置され、穴１１に対向する位置にねじ穴２１が設けられた二つの接地金具２と、二つの接地金具２に対して互いに左右方向内側にレール固定用の付勢力を付与する圧縮ばね３と、ねじアップ用の座金付ねじ１３と、座金付のねじ１３の下端部がねじ穴２から離間する方向（垂直方向）に、座金付のねじ１３に付勢力を付与する圧縮ばね６と、これらを収容して保持すると共に、導電端子１に対して垂直方向にねじアップ用の座金付ねじ１３を上下移動（アップ・ダウン）自在にガイドする絶縁部材からなるユニット４Ａとを有している。
【００３６】
特に、本実施形態２の接地端子台２０では、ユニット４Ａに導電端子１とその下でスライド可能な二つの接地金具２とが収容保持されているが、導電端子１と接地金具２との間には隙間Ａが設けられており、ねじアップ用の座金付ねじ１３の締結時に、接地金具２が導電端子１側の隙間Ａ（例えば１ｍｍ程度）をなくす方向に上側に移動して、これに伴って、接地レール５の鍔部分５ａと下側から係合する係合部（切り欠き部または段差部、ここでは段差部）２２も上方に移動して接地レール５の鍔部分５ａを、ユニット４Ａの底面部分とその係合部２２とで挟み込んでより確実に、接地レール５を二つの接地金具２で固定することができるようになっている。
【００３７】
このときに、二つの接地金具２の係合部２２が接地レール５の鍔部分５ａを下方から押し上げるように接触（押圧）するが、接地レール５の鍔部分５ａへの食い込みがより少ないように先端部が折り返されており、レール変形を抑えるために、その折り返し部２２ａの接地レール５への接触面積を大きくすると共に、折り返し部２２ａにも多少の復元力（ばね性）を持たせて緩み止めとしている。
【００３８】
上記構成により、まず、接地端子台２０の対向した各係合部２２の一方を接地レール５の鍔部分５ａの一方側に嵌め込んだ状態で、圧縮ばね３の付勢力に抗して、対向した各段差２２間の距離を広げてワンタッチで他方の係合部２２をその鍔部分５ａの他方に嵌め込む（テーパ部でワンタッチで嵌め込む）。二つの接地金具２の各係合部２２は、圧縮ばね３の付勢力により、接地レール５の鍔部分５ａに両側から内側に押圧して電気的に接続している。
【００３９】
次に、アップしている座金付ねじ１３の下方先端部と、導電端子１の穴１１間に、電線が圧着された圧着端子（アンプ端子）を挿入して、アンプ端子のねじ用穴内にねじ先端部を通し、座金付ねじ１３をその座金と共に、その先端部を圧縮ばね６の付勢力に抗して下降させ、ねじ先端部を接地金具２のねじ穴２１に締め付けてアンプ端子を導電端子１と座金付ねじ１３の座金とで挟み込む。このようにして、導電端子１の一方の長円状の穴１１（貫通孔）にねじ１３を通して、接地金具２の平面部分２３のねじ穴２１にねじ１３を締結することにより配線を行う。また、導電端子１の他方の長円状の穴１１（貫通孔）にもねじ１３の先端部を通して、別の接地金具２の平面部分２３のねじ穴２１にねじ１３を締結することにより配線を行う。よって、従来のように、別途、接地レール５への接地用にねじを締めることなく、配線作業のねじ締めだけで、導電端子１から接地金具２を介して接地レール５に安定した接圧で電気的に接続して接地することができる。
【００４０】
この場合に、導電端子１は二つの接地金具２とのねじ締結によって一体的に固定されており、配線を引っ張っても二つの接地金具２がスライドして接地レール５から外れたり外部に抜け出てくることはない。
【００４１】
定期的なメンテナンス時などに、まず、接地端子台１０を接地レール５から外す場合、座金付のねじ１３を緩めると、座金付のねじ１３の下方先端が導電端子１のねじ穴１１から離脱し、圧縮ばね６の付勢力により座金付ねじ１３が座金と共に導電端子１の表面に対して垂直方向にアップ移動する。これによって、二つの接地金具２が互いにスライド可能状態になり、圧縮ばね３の付勢力に抗して、対向した各係合部２２間の距離をマイナスドライバーなどで広げてワンタッチで取り外すことができる。
【００４２】
次に、接地端子台１０に新たなユニット部を加えるなどして、対向した各係合部２２の一方を接地レール５の鍔部分５ａの一方に嵌め込んだ状態で、圧縮ばね３の付勢力に抗して、対向した各係合部２２間の距離を広げてワンタッチで他方の係合部２２を鍔部分５ａの他方に嵌め込む。二つの接地金具２の各係合部２２は、圧縮ばね３の付勢力により、接地レール５の鍔部分５ａに両側から内側に押圧して電気的に接続する。
【００４３】
同様に、アップしている座金付ねじ１３の下方先端部と、導電端子１の穴１１間に、電線が圧着されたアンプ端子を挿入して、アンプ端子のねじ用穴内にねじ先端部を通し、座金付ねじ１３をその座金と共に、その先端部を圧縮ばね６の付勢力に抗して下降させ、ねじ先端部を接地金具２のねじ穴２１に締め付けてアンプ端子を導電端子１と座金付ねじ１３の座金とで挟み込む。このように、導電端子１の長円状の穴１１（貫通孔）にねじ１３の先端部を通して、接地金具２の平面部分２３のねじ穴２１にねじ１２を締結する。これによって、従来のように、別途、接地レール５への接地用にねじ締めすることなく、配線作業のねじ締めだけで、圧縮ばね３の付勢力により、導電端子１から接地金具２を介して接地レール５に安定して接地することができる。
【００４４】
特に、本実施形態２では、ねじアップ用の座金付ねじ１３の締結時に、接地金具２が導電端子１側の隙間をなくす方向に上側に移動し、これに伴って、接地レール５の鍔部分５ａと係合する係合部２２も上方に移動して接地レール５の鍔部分５ａを、ユニット４Ａの底面部分とその係合部２２とで挟み込んでより確実に、接地レール５を二つの接地金具２で固定する。
【００４５】
このとき、係合部２２の折り返し部２２ａが接地レール５に食い込まず、接地レール５を変形させない。折り返し部２２ａにも多少の復元力（ばね性）があるため、接地レール５と折り返し部２２ａとの緩み止めになる。
【００４６】
以上により、本実施形態１，２によれば、導電端子１の下方位置で導電端子１の長手方向に互いにスライド自在に設置され、長穴１１に対向してねじ穴２１が設けられ、接地レール５の両側鍔部分５ａに係合可能とする二つの接地金具２と、二つの接地金具２に対して互いに内側に付勢力を付与するばね３とを有し、絶縁ユニット４には、二つの接地金具２およびばね３が収容保持され、ばね３の付勢力により導電端子１が二つの接地金具２を介して接地レール５に接地可能とされている。このように、二つの接地金具２の各係合部２２に対して互いに内側にばね３で付勢して各係合部２２を接地レール５に押圧可能としているため、ワンタッチで各係合部２２の接地レール５への着脱が可能で、接地レール５への固定に要する手間と作業工数を削減して、接地レール５の両側の鍔部分の変形を抑えつつ接地不良を防止することができる。
【００４７】
なお、上記実施形態１，２では、二つの接地金具２の各延設部２５にそれぞれ、マイナスドライバの先端部が挿入可能な長方形状の切り欠き部２５ａがその長手方向に直角な方向に互いに対向してそれぞれ設けられる構成としたが、マイナスドライバの先端部に限らず、長方形状の切り欠き部２５ａに挿入可能なマイナス形状の先端部であればよい。このマイナス形状の先端部としては、マイナスドライバの先端部の他に、マイナスドライバの先端部と同等な工具の先端部であってもよい。
【００４８】
以上のように、本発明の好ましい実施形態１，２を用いて本発明を例示してきたが、本発明は、この実施形態１，２に限定して解釈されるべきものではない。本発明は、特許請求の範囲によってのみその範囲が解釈されるべきであることが理解される。当業者は、本発明の具体的な好ましい実施形態１，２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４９】
本発明は、例えば原子力発電所、火力発電所および変電所などの配電盤、制御盤および監視盤などに用いられ、例えば総合接地配線と各機器からの接地配線との配線中継および配線分岐するための接地端子台の分野において、二つの接地金具の各係合部に対して互いに内側にばねで付勢して各係合部を接地レールに押圧可能としているため、ワンタッチで各係合部の接地レールへの着脱が可能で、接地レールへの固定に要する手間と作業工数を削減して、接地レールの鍔部分の変形を抑えつつ接地不良を防止できる。
【図面の簡単な説明】
【００５０】
【図１】（ａ）は、本発明の実施形態１に係る接地端子台の要部構成例を示す上面図、（ｂ）は、（ａ）の正面図、（ｃ）は、（ｂ）の側面図である。
【図２】（ａ）は、図１の接地端子台から金具部分を取り出した場合の正面図、（ｂ）は、（ａ）の側面図である。
【図３】（ａ）は、本発明の実施形態２に係る接地端子台の要部構成例を示す上面図、（ｂ）は、（ａ）の正面図、（ｃ）は、（ｂ）の側面図である。
【図４】図３の接地端子台から金具部分を取り出した場合の正面図である。
【図５】従来の接地端子台の要部構成例を示す正面図である。
【符号の説明】
【００５１】
１  導電端子
１１  長円状の穴
１２  ねじ
１３  ねじアップ用の座金付ねじ
２  接地金具
２１  ねじ穴
２２  係合部（切り欠き部または段差部）
２２ａ  折り返し部
２３  平面部分
２４  先端板部分
２５  延設部
２５ａ  切り欠き部
２６  先端板部分
３、６  圧縮ばね
４、４Ａ  ユニット
５  接地レール
５ａ  鍔部分
１０、２０  接地端子台
【図１】
2007035590.tif 000003
【図２】
2007035590.tif 000004
【図３】
2007035590.tif 000005
【図４】
2007035590.tif 000006
【図５】
2007035590.tif 000007